(57)【要約】【課題】遠隔操作で確実に着色剤を噴射して犯人に着色剤を取り付け、犯人の識別を容易にする防犯噴射装置を提供する。【解決手段】建物の出入口等の上方に取り付けられる本体１４と、本体１４の内側に取り付けられ着色剤が圧縮気体とともに充填されているスプレー缶３２と、本体１４に形成されスプレー缶３２の噴射口３６に対面する透孔３０とを備える。スプレー缶３２に隣接して設けられスプレー缶３２の噴射口３６を開いて着色剤を噴射させるソレノイド３８と、ソレノイド３８を遠隔操作する遠隔操作ボタン６２，６４を備える。【選択図】　　　　図２
2004078345.tif 000002
【特許請求の範囲】
【請求項１】
建物の上方に取り付けられ着色剤が圧縮気体とともに充填されているスプレー缶と、上記スプレー缶に隣接して設けられ上記スプレー缶の噴射口を開いて上記着色剤を噴射させる起動装置と、上記起動装置を遠隔操作する遠隔操作装置が設けられていることを特徴とする防犯噴射装置。
【請求項２】
建物の出入口の上方に取り付けられる本体ケースと、上記本体ケースの内側に取り付けられ着色剤が圧縮気体とともに充填されているスプレー缶と、上記本体ケースに形成され上記スプレー缶の噴射口に対面する透孔と、上記スプレー缶に隣接して設けられ上記スプレー缶の噴射口を開いて上記着色剤を噴射させる起動装置と、上記起動装置を遠隔操作する遠隔操作装置が設けられていることを特徴とする防犯噴射装置。
【請求項３】
上記本体ケースの内側には断熱材が設けられ、この断熱材の内側に上記スプレー缶が取り付けられていることを特徴とする請求項２記載の防犯噴射装置。
【請求項４】
上記着色剤は蛍光染料であることを特徴とする請求項１または２記載の防犯噴射装置。
【請求項５】
上記遠隔操作装置には遠隔操作ボタンが設けられ、上記遠隔操作ボタンは、カウンターや机の天板の裏に設置されていることを特徴とする請求項１または２記載の防犯噴射装置。
【発明の詳細な説明】
【０００１】
【発明の属する技術分野】
この発明は、金融機関の店舗などの出入口に取り付けられる防犯噴射装置に関する。
【０００２】
【従来の技術】
郵便局や銀行等の金融機関では、いろいろな防犯対策が施され、さらに種々の防犯用の用品が用いられている。そのうち、逃走する犯人を特定するため、強盗事件等の犯人が店内から逃走するときに、犯人に投げつけて色をつけるカラーボールがある。このカラーボールは、強い力が加えられると容易に破損する皮膜で作られ、皮膜の内側には蛍光塗料が充填されている。カラーボールの使用方法は、逃走する犯人の背中にめがけてカラーボールを投げつけると、ボールが背中等に当たって皮膜が破損し、蛍光塗料が犯人の衣服や身体につく。これにより後で犯人を識別しやすくなり、迅速な逮捕に繋がる。
【０００３】
【発明が解決しようとする課題】
上記従来の技術の場合、犯人が逃走する時にカラーボールをタイミング良く投げなければならず、またコントロール良く当てなければならない。しかし、強盗によるパニック状態の中でカラーボールを正確に投げつけることはきわめて難しいものであり、特に、強盗事件の緊急事態では冷静に行動する余裕がなく、カラーボールを投げつけること自体困難であった。
【０００４】
この発明は上記従来の問題点に鑑みてなされたものであり、遠隔操作で確実に着色剤を噴射して犯人に着色剤を付着させ、犯人の識別を容易にする防犯噴射装置を提供することを目的とする。
【０００５】
【課題を解決するための手段】
この発明は、建物の出入口等の上方に取り付けられる本体ケースと、上記本体ケースの内側に取り付けられ着色剤が圧縮気体とともに充填されているスプレー缶と、上記本体ケースに形成され上記スプレー缶の噴射口に対面する透孔と、上記スプレー缶に隣接して、上記スプレー缶の噴射口を開口して上記着色剤を噴射させるソレノイド等の起動装置が設けられ、上記起動装置を遠隔操作する遠隔操作装置が設けられている防犯噴射装置である。
【０００６】
上記スプレー缶は、本体ケース内に取り付けられている。上記本体ケースの内側には断熱材が設けられ、この断熱材の内側に上記スプレー缶が取り付けられ、上記スプレー缶を保護している。上記本体ケースには、上記スプレー缶の噴射口に対面する透孔が形成されている。そして、上記スプレー缶に隣接して、上記スプレー缶の噴射口を開口して上記着色剤を噴射させるソレノイド等の起動装置が設けられ、上記起動装置を遠隔操作する遠隔操作装置が設けられている。
【０００７】
また、上記遠隔操作装置には遠隔操作ボタンが設けられ、上記遠隔操作ボタンは、カウンターや机の天板の裏など目立たないところに設置されている。
【０００８】
この発明の防犯噴射装置は、強盗事件等が発生したとき、犯人が出入口を通って外側に逃走するタイミングで、カウンターや机に座っている者が遠隔操作ボタンを押す。すると、本体ケースに収容されているソレノイドが作動してスプレー缶の噴射口から着色剤が噴射される。噴射された着色剤は、本体ケースの透孔を通って犯人の頭上から全身に吹きかけられ、衣服や身体につく。これにより犯人を、容易に識別することが出来る。
【０００９】
【発明の実施の形態】
以下、この発明の実施形態について図面に基づいて説明する。図１、図２はこの発明の一実施形態を示すもので、この発明の防犯噴射装置１０は、室内の天井１２に取り付けられる金属製などの直方体の本体ケースである本体１４が設けられている。本体１４には、天井１２に対して平行な長四角形の底面１６と、底面１６の長手方向の端部に位置し底面１６に対して直角に位置する側面１８，２０と、底面１６の長手方向に平行な側縁部に位置し底面１６に対して直角に位置する側面２２，２４が設けられている。側面１８の、底面１６と反対側の端部には、側面１８に対して直角に側方へ突出する取付板２６が連続して形成されている。側面２０にも同様に、底面１６と反対側の端部に、側面２０に対して直角で側方へ突出する取付板２８が連続して形成されている。
【００１０】
本体１４の、底面１６に対面する部分は開口し、底面１６の、中心よりも側面２０寄りの位置には、円形の透孔３０が形成されている。この透孔３０の側面１８側の本体１４の内周面は、発泡樹脂等の断熱材１５により覆われている。
【００１１】
本体１４の断熱材１５の内側には、スプレー缶３２が本体１４の長手方向に沿って入れられている。スプレー缶３２は一端部に噴射ボタン３４が設けられ、噴射ボタン３４の側面には噴射口３６が設けられている。噴射口３６は、本体１４の透孔３０に対面し、噴射口３６の噴射が透孔３０から本体ケース２４の外側に噴き出される。スプレー缶３２の中には、着色剤である蛍光染料と圧縮気体が入れられている。噴射ボタン３４の先端面には、後述するソレノイド３８のロッド４０が嵌合されるガイド凹部３５が形成されている。
【００１２】
本体１４の内側には、スプレー缶３２の噴射ボタン３４に隣接して、ソレノイド３８が設けられている。ソレノイド３８には専用の制御回路と駆動回路が設けられ、電源は、例えば商用電源を直流の２４ボルトに変換したものである。ソレノイド３８には電磁力によりスプレー缶３２側に突出するロッド４０が設けられている。ロッド４０の先端は、スプレー缶３２の噴射ボタン３４に形成されたガイド凹部３５に差し込まれている。
【００１３】
防犯噴射装置１０には、本体１４と別体に、防犯噴射装置１０を遠隔操作する後述の遠隔操作ボタン６２，６４が設けられている。また、本体１４と遠隔操作ボタン６２，６４と別体に、ソレノイド３８の制御回路や駆動回路、その他電源回路等を備えた制御部６６が設けられている。
【００１４】
次に、この防犯噴射装置１０の使用方法について説明する。まず防犯噴射装置１０を取り付ける金融機関の店舗４２の例について、図３に基づいて説明する。図３は、店舗４２の平面図であり、四角い店内４４と、店内４４に隣接し店内４４より狭いエントランス４６が設けられている。店内４４とエントランス４６の間には、赤外線感知式の内側自動ドア４８が設けられている。店内４４には、内側自動ドア４８の近傍に、店内４４を仕切るカウンター５０が設けられている。カウンター５０の奥には、事務用の机５２，５４が設けられている。エントランス４６には、内側自動ドア４８と反対側に出入口５６が設けられ、出入口５６には赤外線感知式の外側自動ドア５８が設けられている。さらに、エントランス４６の隅部には、ＡＴＭ６０が設けられている。
【００１５】
エントランス４６側の天井１２の、外側自動ドア５８近傍には、防犯噴射装置１０の本体１４が取り付けられている。取付方法は、例えば本体１４の一対の取付板２６，２８にねじ用の透孔が形成され、ねじを挿通して天井１２に螺合して固定する。このとき、本体１４の底面１６と透孔３０は、下方を向く。カウンター５０には、座る人の手元、例えば天板の裏などに防犯噴射装置１０を作動させる遠隔操作ボタン６２が取り付けられている。机５４にも同様に、天板の裏などに遠隔操作ボタン６４が取り付けられている。そして店内４４の、内側自動ドア４８に近いところに、防犯噴射装置１０を制御する制御部６６が設けられている。遠隔操作ボタン６２，６４と防犯噴射装置１０及び制御部６６は、図示しない配線により接続されている。
【００１６】
また、制御部６６の近傍には、緊急事態を知らせる非常ベル６８が取り付けられている。店舗４２の任意の位置には、図示しない作動ランプが設けられ、作動ランプにより防犯噴射装置１０が可動状態であることを示す。
【００１７】
そして、店舗４２に強盗事件が発生したとき、犯人が外側自動ドア５８を通って外側に逃走するタイミングを計って、カウンター５０に座っている者が遠隔操作ボタン６２を押す。すると、本体１４に収容されているソレノイド３８が作動し、ロッド４０がスプレー缶３２側に突出し、スプレー缶３２の噴射ボタン３４を押す。噴射ボタン３４が押されると噴射口３６が開口し、蛍光染料が圧縮気体により噴射される。噴射された蛍光染料は、本体１４の透孔３０を通って犯人の頭上から全身に吹きかけられる。これにより犯人は、店舗４２の外に逃走しても、蛍光染料により、容易に識別することが出来る。
【００１８】
この実施形態の防犯噴射装置１０によれば、遠隔操作で確実に着色剤を噴射して犯人に着色剤を付け、犯人の識別を容易に可能とする。緊急事態でも机５４やカウンター５０に座ったままで遠隔操作して、確実に犯人に蛍光塗料を取り付けることが出来、犯人に近づくことがないため、安全である。また、スプレー缶３２は断熱材１５に覆われて本体１４内に設けられているので、夏の暑い日でもスプレー缶３２が過熱することはない。
【００１９】
なお、この発明の防犯噴射装置は、上記実施の形態に限定されるものではなく、各部材の形状や素材など、自由に変更可能である。また、取り付けられる店舗は、金融機関に限らず、貴金属店などいろいろな場所に取り付けられ、店舗の間取りにあわせて本体や遠隔動作ボタンの取付位置や取付個数は自由に変更可能であり、足元等の床に設置しても良い。蛍光染料の色は、蛍光ではない単なる染料でも良く、人体に悪影響がなく、目立つものや証拠として残るものであれば何でも良い。
【００２０】
さらに、遠隔操作ボタンによる噴射は、犯人を検知して噴射するように、本体等に赤外線感知装置を加えたものでも良い。これにより、遠隔操作ボタンを押しているときまたは押した後、犯人が防犯噴射装置の近傍を通過するときに噴射が行なわれ、確実に着色剤を付着させることができる。この赤外線感知装置は、自動ドアのセンサを利用しても良い。
【００２１】
【発明の効果】
この発明の防犯噴射装置は、遠隔操作で確実に着色剤を噴射して強盗などの犯人に着色剤を付け、犯人の識別を可能にし、迅速な逮捕に繋がる。また、緊急事態でも安全で容易に、犯人に着色剤を付けることができる。
【００２２】
また、本体ケースに断熱材を設けてスプレー缶を収納することにより、スプレー缶の過熱を防止し、安全性や耐久性を高める。
【図面の簡単な説明】
【図１】この発明の一実施形態の防犯噴射装置の使用状態を示す斜視図である。
【図２】この実施形態の防犯噴射装置の縦断面図である。
【図３】この実施形態の防犯噴射装置の配置を示す店舗の概略の平面図である。
【符号の説明】
１０　防犯噴射装置
１２　天井
１４　本体
１５　断熱材
１６　底面
１８，２０，２２，２４　側面
２６，２８　取付板
３０　透孔
３２　スプレー缶
３４　噴射ボタン
３５　ガイド凹部
３６　噴射口
３８　ソレノイド
４０　ロッド
６２，６４　遠隔操作ボタン
【図１】
2004078345.tif 000003
【図２】
2004078345.tif 000004
【図３】
2004078345.tif 000005